【事件の表示】
　商願２０００−１２０３５１拒絶査定に対する審判事件について、次のとおり審決する。
【結　論】
　原査定を取り消す。
　本願商標は、登録すべきものとする。
【理　由】
１　本願商標
　本願商標は、別掲１に示すとおりの構成よりなり、願書に記載の商品を指定商品として、平成１２年１１月７日に登録出願されたものであるが、その後、指定商品については、当審における平成１４年２月２７日提出の手続補正書により、第３０類「ウースターソース，ケチャップソース，しょうゆ，食酢，酢の素，そばつゆ，ドレッシング，ホワイトソース，マヨネーズソース，焼肉のたれ，ごま塩，食塩，すりごま，セロリーソルト，化学調味料，香辛料」と補正されたものである
　
２　引用商標
　原査定において、本願の拒絶の理由に引用した商標は、以下（１）ないし（２１）のとおりである。
（１）登録第４３２２９５号商標（以下「引用Ａ商標」という。）は、「ケンコー」の片仮名文字と「賢功」の漢字を二行に縦書きしてなり、昭和２７年７月１４日に登録出願、第４３類「菓子及び麺ぽうの類」を指定商品として、同２８年９月３０日に設定登録、その後、同４９年３月８日、同５８年１０月２８日及び平成５年１０月２８日の３回に亘り、商標権存続期間の更新登録がなされ、現に有効に存続しているものである。
（２）登録第４３２２９６号商標（以下「引用Ｂ商標」という。）は、「ケンコ」の片仮名文字を縦書きしてなり、昭和２７年７月１４日に登録出願、第４３類「菓子及び麺ぽうの類」を指定商品として、同２８年９月３０日に設定登録、その後、同４９年３月８日、同５８年１０月２８日及び平成５年１０月２８日の３回に亘り、商標権存続期間の更新登録がなされ、現に有効に存続しているものである。
（３）登録第５８１３２８号商標（以下「引用Ｃ商標」という。）は、「ケンコーみそ」の文字（色彩は原本参照）を横書きしてなり、昭和３２年１１月２８日に登録出願、第４５類「味噌」を指定商品として、同３６年１１月１０日に設定登録、その後、同５７年４月３０日、平成４年３月３０日及び同１３年１１月６日の３回に亘り、商標権存続期間の更新登録がなされ、また、同１５年２月５日に、商品の区分及び指定商品を、第３０類「みそ」とする書換の登録がなされ、現に有効に存続しているものである。
（４）登録第６３９２５２号商標（以下「引用Ｄ商標」という。）は、「ケンコウ」の片仮名文字を横書きしてなり、昭和３７年１２月５日に登録出願、第３１類「食用油脂、乳製品、砂糖、氷砂糖、角砂糖、ぶどう糖、果糖、はち密、乳糖、麦芽糖、水あめ、人工甘味料、粉末あめ」を指定商品として、同３９年３月２４日に設定登録、その後、同５０年４月２１日、同５９年５月２１日及び平成６年８月３０日の３回に亘り、商標権存続期間の更新登録がなされ、現に有効に存続しているものである。
（５）登録第８３５５９４号商標（以下「引用Ｅ商標」という。）は、「ＫＥＮＫＯ」の欧文字と「ケンコー」の片仮名文字を上下二段に書してなり、昭和４２年１１月２９日に登録出願、第３０類「菓子、パン」を指定商品として、同４４年１０月２４日に設定登録、その後、同５５年１月３１日、平成１年９月２２日及び同１１年１１月１６日の３回に亘り、商標権存続期間の更新登録がなされ、現に有効に存続しているものである。
（６）登録第９００９８２号商標（以下「引用Ｆ商標」という。）は、「ＨＥＡＬＴＨ」の欧文字、「ヘルス」の片仮名文字及び「ＫＥＮＫＯ」の欧文字を３段に書してなり、昭和４４年５月１５日に登録出願、第３０類「菓子、パン」を指定商品として、同４６年６月１０日に設定登録、その後、同５６年１２月２５日、平成３年７月３０日及び同１３年４月３日の３回に亘り、商標権存続期間の更新登録がなされ、また、同１４年２月２０日に、商品の区分及び指定商品を、第３０類「菓子，パン」とする書換の登録がなされ、現に有効に存続しているものである。
（７）登録第９９９０９７商標（以下「引用Ｇ商標」という。）は、「健康」の漢字を横書きしてなり、昭和４５年１０月２９日に登録出願、第４類「せっけん類（薬剤に属するものを除く）歯みがき、化粧品（薬剤に属するものを除く）香料類」を指定商品として、同４８年２月８日に設定登録、その後、同５８年７月２５日、平成５年２月２５日及び同１５年２月２５日の３回に亘り、商標権存続期間の更新登録がなされ、現に有効に存続しているものである。
（８）登録第１７８２７２１号商標（以下「引用Ｈ商標」という。）は、「別掲２に示すとおりの構成よりなり、昭和５７年３月２４日に登録出願、第３１類「ヨーグルト」を指定商品として、同６０年６月２５日に設定登録、その後、平成７年５月３０日に商標権存続期間の更新登録がなされ、現に有効に存続しているものである。
（９）登録第１８４７０２５号商標（以下「引用Ｉ商標」という。）は、別掲３に示すとおりの構成よりなり、昭和５８年１１月２１日に登録出願、第３３類「米」を指定商品として、同６１年３月２６日に設定登録、その後、平成８年８月２９日に商標権存続期間の更新登録がなされ、現に有効に存続しているものである。
（１０）登録第１８７０６４２号商標（以下「引用Ｊ商標」という。）は、別掲４に示すとおりの構成よりなり、昭和５８年４月４日に登録出願、第３１類「みそ」を指定商品として、同６１年６月２７日に設定登録、その後、平成９年１月３０日に商標権存続期間の更新登録がなされ、現に有効に存続しているものである。
（１１）登録第２３４２９５６号商標（以下「引用Ｋ商標」という。）は、別掲５に示すとおりの構成よりなり、昭和６３年９月２１日に登録出願、第３１類「みそ」を指定商品として、平成３年１０月３０日に設定登録されたものであるが、同１３年１０月３０日に存続期間満了により消滅し、その登録の抹消が、同１４年７月１７日になされたものである。
（１２）登録第２６７５６１２号商標（以下「引用Ｌ商標」という。）は、「ＣＬＥＡＮＩＮＧ　ＳＰＲＡＹ」の欧文字と「Ｋｅｎｋｏ」の欧文字を上下二段に書してなり、平成３年２月２８日に登録出願、第１類「スプレ―タイプの化学品」を指定商品として、同６年６月２９日に設定登録され、現に有効に存続しているものである。
（１３）登録第４１９９９３５号商標（以下「引用Ｍ商標」という。）は、「健康道場」の漢字と「健康らーめん」の文字を上下二段に書してなり、平成８年１１月１４日に登録出願、第３０類「即席中華そばのめん，中華そばのめん」を指定商品として、同１０年１０月１６日に設定登録され、現に有効に存続しているものである。
（１４）登録第４２０１４４２号商標（以下「引用Ｎ商標」という。）は、「健香選茶」の漢字を横書きしてなり、平成９年２月４日に登録出願、第３０類「茶」を指定商品として、同１０年１０月１６日に設定登録され、現に有効に存続しているものである。
（１５）登録第４４１００９６号商標（以下「引用Ｏ商標」という。）は、「健口」の漢字を標準文字で書してなり、平成１１年４月１４日に登録出願、第３類「歯磨き」、第１０類「医療用機械器具」、第１６類「印刷物」、第２１類「デンタルフロス」、第２９類「食用魚介類（生きているものを除く。），肉製品，加工水産物（「かつお節・寒天・削り節・食用魚粉・とろろ昆布・干しのり・干しひじき・干しわかめ・焼きのり」を除く。），加工野菜及び加工果実，乳製品，食用たんぱく」、第３０類「角砂糖，果糖，氷砂糖，砂糖，麦芽糖，はちみつ，ぶどう糖，粉末あめ，水あめ，食用グルテン，穀物の加工品，菓子及びパン」及び第３２類「清涼飲料，果実飲料，飲料用野菜ジュース，乳清飲料」を指定商品として、同１２年８月１８日に設定登録され、現に有効に存続しているものである。
（１６）登録第４４４４１２１号商標（以下「引用Ｐ商標」という。）は、「健皇茶」の漢字を標準文字で書してなり、平成１１年１２月２４日に登録出願、第３０類「茶」を指定商品として、同１３年１月５日に設定登録され、現に有効に存続しているものである。
（１７）登録第４４５５７５５号商標（以下「引用Ｑ商標」という。）は、別掲６に示すとおりの構成よりなり、平成１１年１２月１４日に登録出願、第２９類「卵，加工卵，たまご入りコロッケ，たまご入り即席スープ，乾燥卵入りふりかけ，玉子豆腐，たまご入りはんぺん，たまご入り牛乳，たまごを使用したチャーハンの素」を指定商品として、同１３年２月２３日に設定登録され、現に有効に存続しているものである。
（１８）登録第４４５５７５６号商標（以下「引用Ｒ商標」という。）は、別掲７に示すとおりの構成よりなり、平成１１年１２月１４日に登録出願、第２９類「卵，加工卵，たまご入りコロッケ，たまご入り即席スープ，乾燥卵入りふりかけ，玉子豆腐，たまご入りはんぺん，たまご入り牛乳，たまごを使用したチャーハンの素」を指定商品として、同１３年２月２３日に設定登録され、現に有効に存続しているものである。
（１９）平成９年商標登録願第２８３６５号商標（以下「引用Ｓ商標」という。）は、「健康」の文字を横書きしてなり、第２９類「食肉，食用魚介類（生きているものを除く。），肉製品，加工水産物，豆，加工野菜及び加工果実，卵，加工卵，乳製品，食用油脂，カレー・シチュー又はスープのもと，なめ物，お茶漬けのり，ふりかけ，油揚げ，凍り豆腐，こんにゃく，豆乳，豆腐，納豆，食用たんぱく」を指定商品として、平成９年３月１７日に登録出願されたものであるが、同１１年３月２３日に拒絶査定され、その後、拒絶査定に対する審判請求がなされたが、その審判請求は不成立となり、同１４年３月１５日に拒絶査定が確定したものである。
（２０）平成９年商標登録第１８６２０１号商標（以下「引用Ｔ商標」という。）は、別掲８に示すとおりの構成よりなり、第３０類「玄米・ほうじ茶・ハト麦・大麦・大豆・ハブ茶を加えた混合茶，およびその他のお茶」を指定商品として、平成９年１２月１６日に登録出願されたものであるが、同１５年３月２８日に出願却下となったものである。
（２１）平成１０年商標登録願第３３１０６号商標（以下「引用Ｕ商標」という。）は、「健香」の漢字と「ケンコウ」の片仮名文字を上下二段に書してなり、第３０類「コーヒー及びココア，茶，コーヒー豆，調味料，香辛料，食品香料（精油のものを除く。），米，脱穀済みのえん麦，脱穀済みの大麦，食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，菓子及びパン，即席菓子のもと，アイスクリームのもと，シャーベットのもと，アーモンドペースト，イーストパウダー，こうじ，酵母，ベーキングパウダー，氷，アイスクリーム用凝固剤，家庭用食肉軟化剤，ホイップクリーム用安定剤，酒かす」を指定商品として、平成１０年４月１７日に登録出願されたものであるが、その後、指定商品については同１１年１１月２４日付けの手続補正書により、「コーヒー及びココア，茶，コーヒー豆，食用グルテン，即席菓子のもと，イーストパウダー，こうじ，酵母，ベーキングパウダー，氷，酒かす」と補正されたものである。
　
３　当審の判断
　本願商標は、その指定商品について上記１のとおり補正された結果、引用Ａ商標ないし引用Ｊ商標、引用Ｌ商標ないし引用Ｒ商標及び引用Ｕ商標の指定商品と同一又は類似の商品は、すべて削除されたものと認められる。
　その結果、本願商標の指定商品は、引用Ａ商標ないし引用Ｊ商標、引用Ｌ商標ないし引用Ｒ商標及び引用Ｕ商標の指定商品と、類似しない商品になったと認められるものである。
　つぎに、引用Ｋ商標は、上記２のとおり、商標権の登録の抹消がなされているものであり、また、引用Ｓ商標は、拒絶査定が確定し、引用Ｔ商標は、出願却下となったものである。
　したがって、本願商標が商標法第４条第１項第１１号に該当するとして本願を拒絶した原査定の拒絶の理由は解消した。
　その他、政令で定める期間内に本願について拒絶の理由を発見しない。
　よって、結論のとおり審決する。